(57)【要約】【課題】      本発明は、必ずしも多くの顧客を紹介できない紹介者であっても紹介を強く動機づけることを可能とするポイント管理システム等を提供することを目的とする。【解決手段】  特定の商品又はサービスの購入者を紹介した紹介者に付与されるポイントを管理するポイント管理システムであって、前記ポイントは、前記商品又はサービスの購入に利用可能なものであり、前記購入者を特定する購入者ＩＤと前記紹介者を特定する紹介者ＩＤとを関連付けて記憶するＩＤ関連記憶部と、前記購入者に付与されたポイントと前記購入者ＩＤとを関連付けて記憶する購入者ポイント記憶部と、前記紹介者に付与されたポイントと前記紹介者ＩＤとを関連付けて記憶する紹介者ポイント記憶部と、前記購入者がさらに特定の商品又はサービスを購入したときに前記紹介者ＩＤにポイントを付与する紹介後ポイント付与部とを備える、ポイント管理システムである。【選択図】  図１
2020080063.tif 000002
【特許請求の範囲】
【請求項１】
特定の商品又はサービスの購入者を紹介した紹介者に付与されるポイントを管理するポイント管理システムであって、
前記ポイントは、前記商品又はサービスの購入に利用可能なものであり、
前記購入者を特定する購入者ＩＤと前記紹介者を特定する紹介者ＩＤとを関連付けて記憶するＩＤ関連記憶部と、
前記購入者に付与されたポイントと前記購入者ＩＤとを関連付けて記憶する購入者ポイント記憶部と、
前記紹介者に付与されたポイントと前記紹介者ＩＤとを関連付けて記憶する紹介者ポイント記憶部と、
前記購入者がさらに特定の商品又はサービスを購入したときに前記紹介者ＩＤにポイントを付与する紹介後ポイント付与部とを備える、ポイント管理システム。
【請求項２】
前記ＩＤ関連記憶部は、前記購入者ＩＤに関連付ける前記紹介者ＩＤを１つのみ記憶する、請求項１記載のポイント管理システム。
【請求項３】
前記紹介後ポイント付与部は、前記購入者ＩＤと前記紹介者ＩＤの両方に同数のポイントを付与する、請求項２記載のポイント管理システム。
【請求項４】
前記購入者を紹介したことにより前記紹介者ＩＤにポイントを付与する紹介時ポイント付与部をさらに備える、請求項１から３のいずれかに記載のポイント管理システム。
【請求項５】
コンピュータを請求項１から４のいずれかに記載のポイント管理システムとして機能させるためのプログラム。
【請求項６】
特定の商品又はサービスの購入者を紹介した紹介者に付与されるポイントを管理するポイント管理システムを用いたポイント管理方法であって、
前記ポイントは、前記商品又はサービスの購入に利用可能なものであり、
前記ポイント管理システムは、
前記購入者を特定する購入者ＩＤと前記紹介者を特定する紹介者ＩＤとを関連付けて記憶するＩＤ関連記憶部と、
前記購入者に付与されたポイントと前記購入者ＩＤとを関連付けて記憶する購入者ポイント記憶部と、
前記紹介者に付与されたポイントと前記紹介者ＩＤとを関連付けて記憶する紹介者ポイント記憶部と、
前記購入者がさらに特定の商品又はサービスを購入したときに前記紹介者ＩＤにポイントを付与する紹介後ポイント付与部とを備え、
前記ＩＤ関連記憶部が、前記購入者ＩＤと前記紹介者ＩＤとを関連付けて記憶するＩＤ関連記憶ステップと、
前記紹介後ポイント付与部が、前記購入者がさらに特定の商品又はサービスを購入したときに前記紹介者ＩＤにポイントを付与する紹介後ポイント付与ステップとを含む、ポイント管理方法。
【請求項７】
前記ポイント管理システムは、前記購入者を紹介したことにより前記購入者ＩＤにポイントを付与する紹介時ポイント付与部をさらに備え、
前記紹介後ポイント付与ステップの前に、前記紹介時ポイント付与部が前記購入者を紹介したことにより前記紹介者ＩＤにポイントを付与する紹介時ポイント付与ステップをさらに含む、請求項６記載のポイント管理方法。
【発明の詳細な説明】
【技術分野】
【０００１】
本発明は、ポイント管理システム、プログラム及びポイント管理方法に関し、特に、特定の商品又はサービスの購入者を紹介した紹介者に付与されるポイントを管理するポイント管理システム等に関する。
【背景技術】
【０００２】
従来、商品の購入を促進するためのポイント制度が広く知られている。例えば、契約が成約すると、紹介者にポイントが付与される紹介者ポイント管理方法が知られている（特許文献１）。特許文献１には、紹介者が蓄積したポイント数に応じて希望の商品を獲得できることも記載されている。
【先行技術文献】
【特許文献】
【０００３】
【特許文献１】特開２００２−１８３４２７号公報
【発明の概要】
【発明が解決しようとする課題】
【０００４】
しかしながら、従来のポイント制度は、紹介時にポイントが付与されていた。そのため、紹介者が多くのポイント数を蓄積するためには、多くの顧客を紹介する必要があった。このように多くの顧客を紹介できる者は限られており、必ずしも多くの顧客を紹介できない者に紹介を動機づけるシステムとしては改良の余地があったといえる。
【０００５】
ゆえに、本発明は、必ずしも多くの顧客を紹介できない紹介者であっても紹介を強く動機づけることを可能とするポイント管理システム等を提供することを目的とする。
【課題を解決するための手段】
【０００６】
本発明の第１の観点は、特定の商品又はサービスの購入者を紹介した紹介者に付与されるポイントを管理するポイント管理システムであって、前記ポイントは、前記商品又はサービスの購入に利用可能なものであり、前記購入者を特定する購入者ＩＤと前記紹介者を特定する紹介者ＩＤとを関連付けて記憶するＩＤ関連記憶部と、前記購入者に付与されたポイントと前記購入者ＩＤとを関連付けて記憶する購入者ポイント記憶部と、前記紹介者に付与されたポイントと前記紹介者ＩＤとを関連付けて記憶する紹介者ポイント記憶部と、前記購入者がさらに特定の商品又はサービスを購入したときに前記紹介者ＩＤにポイントを付与する紹介後ポイント付与部とを備える、ポイント管理システムである。
【０００７】
本発明の第２の観点は、第１の観点のポイント管理システムであって、前記ＩＤ関連記憶部は、前記購入者ＩＤに関連付ける前記紹介者ＩＤを１つのみ記憶する。
【０００８】
本発明の第３の観点は、第２の観点のポイント管理システムであって、前記紹介後ポイント付与部は、前記購入者ＩＤと前記紹介者ＩＤの両方に同数のポイントを付与する。
【０００９】
本発明の第４の観点は、第１から第３のいずれかの観点のポイント管理システムであって、前記購入者を紹介したことにより前記紹介者ＩＤにポイントを付与する紹介時ポイント付与部をさらに備える。
【００１０】
本発明の第５の観点は、コンピュータを第１から第４のいずれかの観点のポイント管理システムとして機能させるためのプログラムである。
【００１１】
本発明の第６の観点は、特定の商品又はサービスの購入者を紹介した紹介者に付与されるポイントを管理するポイント管理システムを用いたポイント管理方法であって、前記ポイントは、前記商品又はサービスの購入に利用可能なものであり、前記ポイント管理システムは、前記購入者を特定する購入者ＩＤと前記紹介者を特定する紹介者ＩＤとを関連付けて記憶するＩＤ関連記憶部と、前記購入者に付与されたポイントと前記購入者ＩＤとを関連付けて記憶する購入者ポイント記憶部と、前記紹介者に付与されたポイントと前記紹介者ＩＤとを関連付けて記憶する紹介者ポイント記憶部と、前記購入者がさらに特定の商品又はサービスを購入したときに前記紹介者ＩＤにポイントを付与する紹介後ポイント付与部とを備え、前記ＩＤ関連記憶部が、前記購入者ＩＤと前記紹介者ＩＤとを関連付けて記憶するＩＤ関連記憶ステップと、前記紹介後ポイント付与部が、前記購入者がさらに特定の商品又はサービスを購入したときに前記紹介者ＩＤにポイントを付与する紹介後ポイント付与ステップとを含む、ポイント管理方法である。
【００１２】
本発明の第７の観点は、第６の観点のポイント管理方法であって、前記ポイント管理システムは、前記購入者を紹介したことにより前記購入者ＩＤにポイントを付与する紹介時ポイント付与部をさらに備え、前記紹介後ポイント付与ステップの前に、前記紹介時ポイント付与部が前記購入者を紹介したことにより前記紹介者ＩＤにポイントを付与する紹介時ポイント付与ステップをさらに含む。
【発明の効果】
【００１３】
本発明の各観点によれば、初回の紹介ポイントだけでなく購入者（被紹介者）が購入する度に紹介者がポイントを獲得できる。そのため、紹介者に購入者の紹介を従来以上に動機づけることが可能となる。
【００１４】
しかも、継続的に多く購入する見込みのある者を購入者として紹介する動機づけを紹介者に対して行うことが可能となる。これにより、商品又はサービスの提供者の売上拡大を従来のポイント管理システム以上に期待できることとなる。
【００１５】
本発明の第２の観点によれば、購入者がさらに別の購入者を紹介したとしても始めの紹介者にはポイントが付与されず、直接的な紹介者のみにポイントが付与される。そのため、違法な紹介体系となることを確実に避けることが可能となる。
【００１６】
また、早期に紹介者となることよりも多数の購入者の紹介者となることにより紹介後ポイント付与部からポイントを多く付与されることとなるため、比較的早期に購入者を紹介した紹介者にも継続的に紹介を動機づけることが可能となる。
【００１７】
さらに、１度の購入に対して付与されるポイントが１人の購入者に対して１人の紹介者に限定されるため、商品又はサービスの提供者にポイント付与に伴う経済的負担を限定的に留めることが容易となる。
【００１８】
本発明の第３の観点によれば、購入者の紹介を動機づけることがさらに容易となる。
【図面の簡単な説明】
【００１９】
【図１】本実施例に係るポイント管理システム１を使用したポイント管理方法の概要を示す図である。
【図２】本実施例に係るポイント管理システム１の概要を示すブロック図である。
【図３】本実施例に係るポイント管理方法の一例を示すフロー図である。
【発明を実施するための形態】
【００２０】
以下、図面を参照して、本願発明の実施例について述べる。なお、本願発明の実施の形態は、以下の実施例に限定されるものではない。
【実施例】
【００２１】
以下、本願発明の実施例に係るポイント管理システム１（本願請求項における「ポイント管理システム」の一例）の概要を説明する。図１は、本実施例に係るポイント管理システム１を使用したポイント管理方法（本願請求項における「ポイント管理方法」の一例）の概要を示す図である。ポイント管理システム１は、特定の商品３（又はサービス。以下、「商品等３」と表記する）の購入者５（本願請求項における「購入者」の一例）を紹介した紹介者７（本願請求項における「紹介者」の一例）に付与されるポイント（本願請求項における「ポイント」の一例）を管理するシステムである。なお、このポイントは、商品等の購入に利用可能である。
【００２２】
図１を参照して、（１）紹介者７が購入者５を紹介して、（２）購入者５が商品等３を購入すると、（３）購入者５を特定する購入者ＩＤ９（本願請求項における「購入者ＩＤ」の一例）及び紹介者を特定する紹介者ＩＤ１１（本願請求項における「紹介者ＩＤ」の一例）がそれぞれ付与される。その後、（４）購入者がさらに特定の商品等１３を購入すると、（５）ポイント管理システム１の紹介後ポイント付与部１５が購入者ＩＤ９及び紹介者ＩＤ１１の両方にポイントを付与する。
【００２３】
図２は、本実施例に係るポイント管理システム１の概要を示すブロック図である。ポイント管理システム１は、ＩＤ関連記憶部２１（本願請求項における「ＩＤ関連記憶部」の一例）と、紹介者判定部２３と、購入者ポイント記憶部２５（本願請求項における「購入者ポイント記憶部」の一例）と、紹介者ポイント記憶部２７（本願請求項における「紹介者ポイント記憶部」の一例）と、紹介時ポイント付与部２９（本願請求項における「紹介時ポイント付与部」の一例）と、紹介後ポイント付与部３１（本願請求項における「紹介後ポイント付与部」の一例）とを備える。
【００２４】
ＩＤ関連記憶部２１は、購入者ＩＤ９と紹介者ＩＤ１１とを関連付けて記憶する。紹介者判定部２３は、ＩＤ関連記憶部２１を参照して購入者５に紹介者７が存在するか否かを判定する。購入者ポイント記憶部２５は、購入者５に付与されたポイントと購入者ＩＤ９とを関連付けて記憶する。紹介者ポイント記憶部２７は、紹介者７に付与されたポイントと紹介者ＩＤ１１とを関連付けて記憶する。紹介時ポイント付与部２９は、購入者５を紹介したことにより紹介者ＩＤ１１にポイントを付与する。紹介後ポイント付与部３１は、購入者が２回目以降に特定の商品又はサービスを購入したときに購入者ＩＤ９及び紹介者ＩＤ１１にポイントを付与する。
【００２５】
以下、ポイント管理システム１を利用したポイント管理方法の詳細を述べる。図３は、本実施例に係るポイント管理方法の一例を示すフロー図である。
【００２６】
ステップＳ０１において、購入者５が、特定の商品等を購入する。ステップＳ０２において、ポイント管理システム１は、購入者５に購入者ＩＤ９を付与する。ステップＳ０３において、紹介者判定部２３が、購入者５を紹介した紹介者７が存在するか否かについて判定する。紹介者７がいる場合には、ステップＳ０４において、購入者５を紹介した紹介者７に紹介者ＩＤ１１が付与される。紹介者７がいない場合には、ステップＳ０７に進む。ステップＳ０５において、ＩＤ関連記憶部２１が、購入者ＩＤ９に対して紹介者ＩＤ１１を１つだけ関連付けて記憶する。ステップＳ０６において、紹介時ポイント付与部２９が、購入者５を紹介したことに対して、紹介者ＩＤ１１に所定のポイントが付与される。ステップＳ０７において、購入者がさらに特定の商品等１３を購入すると、ステップＳ０８において、紹介者判定部２３が、購入者ＩＤ９に関連付けられた紹介者ＩＤ１１の有無を判定する。紹介者ＩＤが存在すれば、ステップＳ０９において、紹介後ポイント付与部３１は、購入者ＩＤ９だけでなく紹介者ＩＤ１１にも同数のポイントを付与してフローを終了する。ステップＳ０８において紹介者ＩＤ１１が存在しなければ、ステップＳ１０において、紹介後ポイント付与部３１は、購入者ＩＤ９にポイントを付与してフローを終了する。
【００２７】
なお、紹介者を特定する方法については、購入者に確認してもよいし、既知のシステムを用いて購入者に確認せずとも紹介者を特定できるアフィリエイト等のシステムを用いてもよい。
【００２８】
また、購入者が初回に購入する商品等と２回目以降に購入する商品等とは、必ずしも同一の商品等である必要はない。しかし、同一の商品等に限定することも可能である。
【００２９】
さらに、ＩＤ関連記憶部、購入者ポイント記憶部、及び、紹介者ポイント記憶部は、それぞれ別の構成要素であってもいいし、１つの記憶部がそれぞれを兼ねてもよい。
【符号の説明】
【００３０】
１；ポイント管理システム、３；商品等、５；購入者、７；紹介者、９；購入者ＩＤ、１１；紹介者ＩＤ、１３；商品等、１５；紹介後ポイント付与部、２１；ＩＤ関連記憶部、２３；紹介者判定部、２５；購入者ポイント記憶部、２７；紹介者ポイント記憶部、２９；紹介時ポイント付与部、３１；紹介後ポイント付与部
【図１】
2020080063.tif 000003
【図２】
2020080063.tif 000004
【図３】
2020080063.tif 000005